(57)【要約】      （修正有）【課題】熱効率がよくかつ指先まで温めることのできる加熱式マウスを提供する。【解決手段】クリック押ボタン部３及び上ケース４の裏面に熱良導体シート７を密接させて取り付けるとともに、これらの熱良導体シート上にＵＳＢマウスの電源バス端子から電力を供給した複数の電気発熱体８Ｒ，８Ｌを配置し、マウスケースを分散的に加熱する。【選択図】図４
2008204263.tif 000002
【特許請求の範囲】
【請求項１】
ＵＳＢ（ユニバーサル・シリアル・バス）規格ケーブルの一端に接続したＵＳＢコネクタを介してコンピュータと接続することにより、該コンピュータ電源からＵＳＢ電源バス端子を介してコンピュータ入力操作用マウスのケース内に収容したポインティング回路に給電して駆動可能としたＵＳＢマウスにおいて、
上記ＵＳＢマウスのケースの内面領域に第１熱良導体シートを密接させて取り付けるとともに該第１熱良導体シート上に少なくとも1つの電気発熱体を密接配置し、上記ＵＳＢ電源バス端子にＯＮ／ＯＦＦ切り替えスイッチを介して上記電気発熱体を電気接続し、該切り換えスイッチをＯＮに切り換えた際、ＵＳＢ電源端子から電気発熱体に給電することにより発熱させて上記熱良導体シートを介してマウスケースを加熱するように構成したことを特徴とする加熱式ＵＳＢマウス。
【請求項２】
ＵＳＢマウスのケースに形成されたクリック押ボタン部に対応する内面領域と該クリック押ボタン部に隣接するケース部分に対応する内面領域とに、それぞれ、第１熱良導体シートを密接させて取り付けるとともにこれらの第１熱良導体シート上に複数の電気発熱体を分散させて密接配置し、上記ＵＳＢマウスの電源バス端子に電源ＯＮ／ＯＦＦ切り替えスイッチを介して上記複数の電気発熱体を直並列接続し、該電源ＯＮ／ＯＦＦ切り換えスイッチをＯＮに切り換えた際、ＵＳＢ電源端子から各電気発熱体の電気抵抗に応じた電力を供給してマウスケースを分散的に加熱するように構成した加熱式ＵＳＢマウス。
【請求項３】
電源ＯＮ／ＯＦＦ切り換えスイッチを介して複数の電気発熱体を直並列接続した第１発熱回路と第２発熱回路を接続し、上記切り替えスイッチの切り換え操作により当該ＵＳＢマウスの電源バスから供給される電力量を可変とすることにより、マウスケースの加熱温度を段階的に切り替え可能とした請求項２に記載の加熱式ＵＳＢマウス。
【請求項４】
電気発熱体を第２熱良導体シートで被覆し、該第２熱良導体シートを第１熱良導体シートと密接させて配置した請求項１〜請求項３の何れかに記載の加熱式ＵＳＢマウス。
【請求項５】
電気発熱体が電気絶縁樹脂材料により被覆成形した金属皮膜抵抗器である、請求項１〜請求項４の何れかに記載の加熱式ＵＳＢマウス。
【請求項６】
電気発熱体がペルチエ素子を用いて構成され、ＵＳＢマウスのケース内に上記ペルチエ素子を制御する発熱制御回路を設けた、請求項１〜請求項５の何れかに記載の加熱式ＵＳＢマウス。
【発明の詳細な説明】
【技術分野】
【０００１】
本発明は、ＵＳＢ規格の電源バスからの給電によりポインティング駆動するＵＳＢマウス、特に電源バスからの供給電力を利用して電気発熱体を駆動しマウスケースを加熱する加熱式マウスの改良に関するものである。
【背景技術】
【０００２】
冬場温度の低い室内とか、夏場冷房の効いた室内でマウスを用いてコンピュータ入力操作をする際、マウスを握る操作者の掌及び指から体温が奪われ、特に、指先が冷え、マウスの操作、例えば、代表的に“クリック”操作が難儀であるという問題があった。これに対し、マウスに布カバーを着けるとか、操作者が手袋を着用することで対処することが提案されているが、これらの方策は、原理的に操作者の指先等からマウスのキャビネット又はケースへの放熱を抑制するものに過ぎず、指先等の冷えの問題を完全に解消できないばかりでなく、むしろ、クリック等の操作性が低下することとなり、上述した指先等の冷えの対策としては不満足なものであった。
【０００３】
最近、ＵＳＢ（ユニバーサル・シリアル・バス）規格ケーブルの一端に接続したＵＳＢコネクタを介してコンピュータと接続することにより、該コンピュータ電源からＵＳＢ電源バス端子を介してコンピュータ入力操作用マウスのケース内に収容したポインティング回路に給電して駆動可能としたＵＳＢマウスにおいて、ＵＳＢ電源端子から電力を給電する電気発熱体をマウス内部に設置することによりマウスケースを加熱する加熱式マウスが存在する（特許文献１及び非特許文献１参照）。
【０００４】
しかし、電熱素材がマウスケースの内面領域に密接して配置されておらず、熱効率が悪く温度分布にバラつきが生じ、かつ消費電力が大きくなるという問題があった。
また、マウスを握った時手の平にあたる部分にのみフィルムヒータなどの電熱素材が入れられているため、クリック押ボタン部を温めることはできなかった。
さらに、フィルムヒータやニクロム線などの電熱素材を設けるための空間を確保するため、マウスが大型化するという問題もあった。
【特許文献１】特開２０００−３４７８０２号公報
【特許文献２】特開２００６−３３８０６２公報
【特許文献３】実用新案登録第３１１４７４３号公報
【非特許文献１】USBあったかマウス「http://www.thanko.jp/hotmouse/」
【発明の開示】
【発明が解決しようとする課題】
【０００５】
本発明は、上記従来技術の問題を解決するためになされたものであり、具体的には本発明は熱効率が良く均等に温めることのできる加熱式マウスを提供することを課題とする。さらに、本発明は指先部分を温めることのできる加熱式マウスを提供することにある。またさらに、本発明は消費電力の少ない小型の加熱式マウスを提供することにある。
【課題を解決するための手段】
【０００６】
上記目的を達成するために、請求項１の発明はＵＳＢマウスのケースの内面領域に第１熱良導体シートを密接させて取り付けるとともに該第１熱良導体シート上に少なくとも1つの電気発熱体を密接配置し、上記ＵＳＢ電源バス端子にＯＮ／ＯＦＦ切り替えスイッチを介して上記電気発熱体を電気接続し、該切り換えスイッチをＯＮに切り換えた際、ＵＳＢ電源端子から電気発熱体に給電することにより発熱させて上記熱良導体シートを介してマウスケースを加熱するように構成したことを特徴とする。
【０００７】
また、請求項２の発明はＵＳＢマウスのケースに形成されたクリック押ボタン部に対応する内面領域と該クリック押ボタン部に隣接するケース部分に対応する内面領域とに、それぞれ、第１熱良導体シートを密接させて取り付けるとともにこれらの第１熱良導体シート上に複数の電気発熱体を分散させて密接配置し、上記ＵＳＢマウスの電源バス端子に電源ＯＮ／ＯＦＦ切り替えスイッチを介して上記複数の電気発熱体を直並列接続し、該電源ＯＮ／ＯＦＦ切り換えスイッチをＯＮに切り換えた際、ＵＳＢ電源端子から各電気発熱体の電気抵抗に応じた電力を供給してマウスケースを分散的に加熱するように構成したことを特徴とする。
【０００８】
さらに、請求項３の発明は電源ＯＮ／ＯＦＦ切り換えスイッチを介して複数の電気発熱体を直並列接続した第１発熱回路と第２発熱回路を接続し、上記切り替えスイッチの切り換え操作により当該ＵＳＢマウスの電源バスから供給される電力量を可変とすることにより、マウスケースの加熱温度を段階的に切り替え可能としたことを特徴とする。
【０００９】
さらにまた、請求項４の発明は電気発熱体を第２熱良導体シートで被覆し、該第２熱良導体シートを第１熱良導体シートと密接させて配置したことを特徴とする。
【００１０】
また、請求項５の発明は電気発熱体が電気絶縁樹脂材料により被覆成形した金属皮膜抵抗器であることを特徴とする。
【００１１】
さらにまた、請求項６の発明は電気発熱体がペルチエ素子を用いて構成され、ＵＳＢマウスのケース内に上記ペルチエ素子を制御する発熱制御回路を設けたことを特徴とする。
【発明の効果】
【００１２】
本発明の請求項１に記載の加熱式マウスによれば、ＵＳＢマウスのケースの内面領域に第１熱良導体シートを密接して取り付け、該第１熱良導体シート上に少なくとも１つの電気発熱体を密着したことにより、電気発熱体から発せられた熱がマウスケースに効率的に伝達されることから消費電力の低減化を有効に図ることができるという優れた作用効果を奏する。
【００１３】
また、本発明の請求項２に記載の加熱式マウスによればＵＳＢマウスのケースに形成されたクリック押ボタン部に対応する内面領域と該クリック押ボタン部に隣接するケース部分に対応する内面領域とに、それぞれ、第１熱良導体シートを密接させて取り付けるとともにこれらの第１熱良導体シート上に複数の電気発熱体を分散させて密着したことにより、局部的に様々の熱量でマウスケースを加熱することができるという優れた作用効果を奏する。
特に従来温めることの出来なかったクリック押ボタン部を温めることができるという優れた作用効果を奏する。
【００１４】
また、本発明の請求項３に記載の加熱式マウスによれば電源ＯＮ／ＯＦＦ切り換えスイッチを介して複数の電気発熱体を直並列接続した第１発熱回路と第２発熱回路を接続し、上記切り替えスイッチの切り換え操作により当該ＵＳＢマウスの電源バスから供給される電力量を可変としたことにより、マウスケースの加熱温度を段階的に切り替えることができるという優れた作用効果を奏する。
【００１５】
また、本発明の請求項４に記載の加熱式マウスによれば電気発熱体を第２熱良導体シートで被覆し、該第２熱良導体シートを第１熱良導体シートに密接配置したことにより、電気発熱体から発せられた熱がマウスケースに効率的に伝達されるという優れた作用効果を奏する。
【００１６】
また、本発明の請求項５に記載の加熱式マウスによれば電気発熱体が電気絶縁樹脂材料により被覆成形した金属皮膜抵抗器であることから、耐熱強度に優れ狭小空間にも配置することができ、マウスの小型化を有効に図ることができるという優れた作用効果を奏する。
【００１７】
また、本発明の請求項６に記載の加熱式マウスによれば電気発熱体がペルチエ素子を用いて構成され、ＵＳＢマウスのケース内に上記ペルチエ素子を制御する発熱制御回路を設けてあることから、小型化できかつ精密な温度制御ができるという優れた作用効果を奏する。
【発明を実施するための最良の形態】
【００１８】
本発明の最良の実施形態を添付図面に基づいて説明する。尚、以下に述べる実施形態は本発明を具体化した一例に過ぎず、本発明の技術的範囲を限定するものでない。
【００１９】
本発明に係る加熱式マウスは図１に示すとおり、下ケース１と、クリック押ボタン部３を嵌め合せた状態の上ケース４、マウスとパソコンを接続するＵＳＢケーブル６から構成されている。下ケース部にスイッチ５を、クリック押ボタン部にパソコン画面のスクロール操作を行うホイール体２を有している。
なお、図４にクリック押ボタン部３を嵌め合せた状態の上ケース４の裏面を示す。
【００２０】
本発明に係る加熱式マウスの回路構成は図５(ａ)に示すとおり、ＵＳＢ規格ケーブルの一端に接続したＵＳＢコネクタを介してコンピュータと接続することにより、該コンピュータ電源から電力を給電しているＵＳＢ電源バス端子に、ポインティング回路１５とＯＮ／ＯＦＦ切り替えスイッチ５を介して直並列接続された電気発熱体８を並列に電気接続している。ポインティング回路１５はプリント基板（図示しない）に集積化して搭載されたものであり、下ケース１の中央部に取り付けられる。
【００２１】
図２〜図４に示すとおり熱良導体シートとして銅箔７は、クリック押ボタン部３のマウスのクリック押ボタンとして動作する部分の左側・右側それぞれの裏面部に熱良導性を有する接着剤を介して貼着される。また、銅箔７は上ケース４のマウス操作時に手のひらにあたる部分の裏面に、熱良導性を有する接着剤を介して貼着される。さらに、銅箔７は金属皮膜抵抗器８の本体部分に巻きつけ熱良導性を有する接着剤を介して貼着される。
電気発熱体として前記金属皮膜抵抗器８は、前記銅箔７が貼着されたクリック押ボタン部３の銅箔の上でかつ上ケース４と嵌め合せた時に空間を形成する部分の左側・右側それぞれに密着してハンダ付けされる。また、前記金属皮膜抵抗器８は前記銅箔７が貼着された上ケース４の銅箔の上でかつクリック押ボタン部３と嵌め合せた時にクリック押ボタン部３が嵌め込まれ空洞を形成する部分の左側・右側それぞれに密着してハンダ付けされる。
なお、前記金属皮膜抵抗器８はハンダ付けした後、リード線を電気絶縁樹脂チューブで皮膜する。
【００２２】
熱良導体シートは銅箔に限らずアルミニュウムや黄銅、金、銀などからなる熱良導性を有する厚さ１ｍｍ以下のシートを使用することもできる。
【００２３】
電気発熱体は上ケース４と嵌め合せる時にクリック押ボタン部３に形成される空間部分に収納できる大きさのセラミック抵抗、フィルムヒータ、ニクロム線を蛇行配線した面状発熱体、抵抗金属箔を印刷した面状発熱体、導電性カーボンを合成ゴムに練り込んだ面状発熱体を使用することもできる。
【００２４】
なお、電気発熱体はペルチエ素子やサーミスタを使用することもできる。この場合はＵＳＢマウスのケース内に発熱制御回路を設ける。
【００２５】
マウス制御基盤上にあるＩＣチップは熱に弱いことから、電気発熱体はＩＣチップの真上となる場所より離れた位置に設置することが望ましい。
【００２６】
電気回路の変形例として図５（ｂ）示す回路図のように電源のＯＮ／ＯＦＦスイッチ５を介して複数の電気発熱体を直並列接続した第１発熱回路と、該第１発熱回路の上段にすくなくとも１つの電気発熱体を直並列接続した第２発熱回路を接続することにより、上記切り替えスイッチの切り換え操作のみで当該ＵＳＢマウスの電源バスから供給される電力量を変化させ、マウスケースの加熱温度をＯＮ（強）・ＯＦＦ（常温）・ＯＮ（弱）の２段階に調整することも可能である。
なお、スイッチ５の位置は切り替え操作ができる場所で、かつマウス操作時に手にあたって邪魔にならない場所とすることが好ましい。
【００２７】
さらに、図５（ｃ）示す回路図のように電気発熱体８にＬＥＤ１６を接続し、電源をＯＮにして前記電気発熱体８が給電され熱を発する時にはＬＥＤ１６が点灯し、電源をＯＦＦにして前記電気発熱体８が給電されていない時にはＬＥＤ１６が消灯するようにすることにより、マウスケースへの加熱の切り替えを視覚的に認識できるようにすることも可能である。
【図面の簡単な説明】
【００２８】
【図１】本発明に係る加熱式マウスの全体斜視図である。
【図２】前記加熱式マウスのクリック押ボタン部の裏面側を示す正面図である。
【図３】前記加熱式マウスの上ケースの裏面側を示す正面図である。
【図４】クリック押ボタン部と上ケースを嵌め合せた状態の裏面側を示す正面図である。
【図５】前記加熱式マウスの電気回路図であり、(ａ)は基本回路図、(ｂ)は第１変形回路図、(ｃ)は第２変形回路図である。
【符号の説明】
【００２９】
１    下ケース
２    ホイール体
３    クリック押ボタン部
４    上ケース
５    スイッチ
６    ＵＳＢケーブル
７Ｒ  熱良導体シート（右）
７Ｌ  熱良導体シート（左）
８Ｒ  電気発熱体（右）
８Ｌ  電気発熱体（左）
９    クリックスイッチ用突起
１０  下ケースとの固定用ネジ穴
１１  クリックスイッチ用穴
１２  ホイール用穴
１３  ケーブル導入溝
１４  コード
１５  ポインティング回路
１６  ＬＥＤ
１７  減流抵抗器
【図１】
2008204263.tif 000003
【図２】
2008204263.tif 000004
【図３】
2008204263.tif 000005
【図４】
2008204263.tif 000006
【図５】
2008204263.tif 000007